(57)【要約】【課題】ある使用者が使用している場合、別の使用者には特定の操作を禁止することができ、別の使用者が視聴しているＡＶ情報を視聴することができるネットワーク機器制御システムを提供する。【解決手段】ネットワーク機器制御システムは、ＡＶデータを受信する側に設置され、直接ユーザがインタラクションをし、ＡＶデータを視聴する表示装置１０ａ〜１０ｃと、表示装置１０ａ〜１０ｃと制御線３により接続され、表示装置１０ａ〜１０ｃとのデータのやり取りをする受信装置２０ａ〜２０ｃと、表示装置１０ａ〜１０ｃ及び受信装置２０ａ〜２０ｃに光信号である赤外線２を送出して遠隔操作するリモコン装置１と、ＡＶデータを送信する側に設置され、受信装置２０ａ〜２０ｃとネットワーク４により接続されてデータのやり取りをする送信装置３０と、送信装置３０と制御線３により接続され、ＡＶデータを送出する非制御機器４０とを備える。【選択図】  図１
2004242032.tif 000002
【特許請求の範囲】
【請求項１】
ネットワーク上に接続された複数のＡＶ機器と、該ＡＶ機器が制御する非制御機器とを備え、前記非制御機器を複数のユーザが利用し、ＡＶデータを視聴するネットワーク機器制御システムにおいて、
前記ＡＶ機器は、前記ＡＶデータを受信する側に設置されており、直接ユーザがインタラクションをし、前記ＡＶデータを視聴する表示装置と、
前記表示装置に接続され、該表示装置とのデータのやり取りをする受信装置とを備え、
前記非制御機器は、前記ＡＶデータを送信する側に設置されており、前記受信装置と前記ネットワークにより接続され、データのやり取りをする送信装置と、
前記送信装置に接続され、前記ＡＶデータを送出する非制御装置と
を備えることを特徴とするネットワーク機器制御システム。
【請求項２】
前記表示装置は、ユーザの情報を入力する入力手段と、
前記ユーザの情報を記録するユーザ情報記憶手段と、
前記表示装置の機器情報を記録する機器情報記録手段と
を備えることを特徴とする請求項１記載のネットワーク機器制御システム。
【請求項３】
前記受信装置は、前記表示装置に対して、該表示装置の情報を送受信するコマンド中継手段と、
前記ネットワークを介してデータを送受信するネットワーク送受信手段と、
前記ネットワーク送受信手段より送受信されたデータから前記ＡＶデータを分離し、前記表示装置に送信するＡＶデータ中継手段と
を備えることを特徴とする請求項１又は２に記載のネットワーク機器制御システム。
【請求項４】
前記送信装置は、前記ネットワークよりデータを送受信するネットワーク送受信手段と、
機器情報を登録する機器情報登録手段と、
ユーザ情報を登録するユーザ情報登録手段と、
前記ＡＶデータの送信を許可するか否かを判断する判断手段と、
前記非制御装置とデータの送受信を行うデータ送受信手段と、
前記ＡＶデータの受信を行うＡＶデータ中継手段と
を備えることを特徴とする請求項１乃至３のいずれか一項に記載のネットワーク機器制御システム。
【請求項５】
前記非制御装置は、前記非制御機器の情報を記録する機器情報記録手段と、
前記送信装置とデータの送受信を行うデータ送受信手段と、
前記送信装置から受信したデータを解析しコマンドに応じた制御を行うコマンド解析手段と、
前記ＡＶデータを記録するＡＶデータ記録手段と、
前記ＡＶデータをデコードして再生する再生手段と、
前記ＡＶデータを送信装置に送信するＡＶデータ送信部と
を備えることを特徴とする請求項１乃至４のいずれか一項に記載のネットワーク機器制御システム。
【請求項６】
前記ユーザ情報登録手段は、ユーザが予め設定した認証キーを記録し、該認証キーが一致することを判断する判断手段をさらに備えることを特徴とする請求項４記載のネットワーク機器制御システム。
【請求項７】
前記認証キーは、機器情報に関連した値に設定することを特徴とする請求項６記載のネットワーク機器制御システム。
【請求項８】
前記判断手段は、ユーザが予め決めた情報を基に判断することを特徴とする請求項６記載のネットワーク機器制御システム。
【請求項９】
前記判断手段は、前記認証キーに基づいて判断することを特徴とする請求項６又は７に記載のネットワーク機器制御システム。
【請求項１０】
前記ネットワークは、無線通信により各種機器を接続することを特徴とする請求項１記載のネットワーク機器制御システム。
【請求項１１】
前記ネットワークは、１３９４規格のデジタルインタフェースで各種機器を接続することを特徴とする請求項１記載のネットワーク機器制御システム。
【発明の詳細な説明】
【０００１】
【発明の属する技術分野】
本発明は、ネットワークを介して接続された複数のＡＶ機器等を制御するネットワーク機器制御システムに関する。
【０００２】
【従来の技術】
家庭内において、各部屋にある機器を有線や無線のネットワークで繋ぎ、複数の使用者がそれぞれの部屋から集中的にある特定の機器を利用することが可能となってきている。
【０００３】
ところが、１つの機器を複数の使用者で利用する場合、ある使用者が機器を用いている最中に、別の使用者が突然その機器を制御してしまうという問題があった。
この問題を解決するために、例えば、特許文献１に記載の装置では、各屋毎に操作装置を設け、前記操作装置において、リモコン送信機から受信したコマンドデータに部屋番号を付加したコマンドデータを作成し、別の部屋にある被非制御装置を制御する非制御装置に送信する。この非制御装置は、コマンドデータに含まれる部屋番号を識別し、最初に操作を開始した使用者以外の者による操作は無効とすることにより、最初に操作を開始した使用者に不都合がきたさないようにしている。また、予め特定の部屋番号の操作のみを有効にすることなどが提案されている。
【０００４】
また、特許文献２では、使用者が使用するリモートコントロールユニット（以下、リモコンという）装置に優先選択できる選択キーを設け、複数の使用者が同時にＡＶ情報送出要求コマンドを送信しても、コマンドを受信する受信機で優先権があるコマンドを優先的に実行することで、二人の使用者の要求が重なったときに時間的優先権に基づく操作権を無視する優先権選択機能が開示されている。
【０００５】
【特許文献１】
特開２０００−１９７１６４号公報（図１）
【特許文献２】
特開平４−１８８３１号公報（図１）
【０００６】
【発明が解決しようとする課題】
しかしながら、このような従来のＡＶコントロールシステムにあっては、複数の使用者が同時に機器を操作して混乱することは解決されているものの、時間的に優先度の高い使用者の操作が実行されるため、別の使用者が利用できなかったり、あるいは、優先選択キーを選択して優先権を持った使用者に勝手に操作されてしまうという問題が依然としてある。
【０００７】
本発明は、このような課題に鑑みてなされたものであって、ある使用者が使用している場合、別の使用者には特定の操作を禁止することができ、別の使用者が視聴しているＡＶ情報を視聴することができるネットワーク機器制御システムを提供することを目的としている。
【０００８】
また、本発明は、すでに誰かが使用している機器でも両者間のネゴシエーションにより別の使用者も利用できるようにするネットワーク機器制御システムを提供することを目的としている。
【０００９】
【課題を解決するための手段】
本発明のネットワーク機器制御システムは、ネットワーク上に接続された複数のＡＶ機器と、該ＡＶ機器が制御する非制御機器とを備え、前記非制御機器を複数のユーザが利用し、ＡＶデータを視聴するネットワーク機器制御システムにおいて、前記ＡＶ機器は、前記ＡＶデータを受信する側に設置されており、直接ユーザがインタラクションをし、前記ＡＶデータを視聴する表示装置と、前記表示装置に接続され、該表示装置とのデータのやり取りをする受信装置とを備え、前記非制御機器は、前記ＡＶデータを送信する側に設置されており、前記受信装置と前記ネットワークにより接続され、データのやり取りをする送信装置と、前記送信装置に接続され、前記ＡＶデータを送出する非制御装置とを備えることを特徴としている。
【００１０】
前記表示装置は、ユーザの情報を入力する入力手段と、前記ユーザの情報を記録するユーザ情報記憶手段と、前記表示装置の機器情報を記録する機器情報記録手段とを備えることで、ユーザの好みあった情報を入力することができ、また、表示機器を識別することも容易になる。
【００１１】
前記受信装置は、前記表示装置に対して、該表示装置の情報を送受信するコマンド中継手段と、前記ネットワークを介してデータを送受信するネットワーク送受信手段と、前記ネットワーク送受信手段より送受信されたデータから前記ＡＶデータを分離し、前記表示装置に送信するＡＶデータ中継手段とを備えることで、ネットワークとのインターフェースを簡略化することができる。
【００１２】
前記送信装置は、前記ネットワークよりデータを送受信するネットワーク送受信手段と、機器情報を登録する機器情報登録手段と、ユーザ情報を登録するユーザ情報登録手段と、前記ＡＶデータの送信を許可するか否かを判断する判断手段と、前記非制御装置とデータの送受信を行うデータ送受信手段と、前記ＡＶデータの受信を行うＡＶデータ中継手段とを備えることで、登録されているユーザの情報を基に、ＡＶデータの送出を許可したり、拒絶したりする処理を一元管理でき、非制御装置に余分なトラフィックを増やさなくて済む。
【００１３】
前記非制御装置は、前記非制御機器の情報を記録する機器情報記録手段と、前記送信装置とデータの送受信を行うデータ送受信手段と、前記送信装置から受信したデータを解析しコマンドに応じた制御を行うコマンド解析手段と、前記ＡＶデータを記録するＡＶデータ記録手段と、前記ＡＶデータをデコードして再生する再生手段と、前記ＡＶデータを送信装置に送信するＡＶデータ送信部とを備えることで、機器の特定とＡＶデータの送信ができる。
【００１４】
前記ユーザ情報登録手段は、ユーザが予め設定した認証キーを記録し、該認証キーが一致することを判断する判断手段をさらに備えることで、認証キーを持たないユーザに不用意にＡＶデータの送出をすることを防ぐことができる。
【００１５】
前記認証キーは、機器情報に関連した値に設定するものであることで、ユーザが認証キーを設定しなくて済む。
前記判断手段は、ユーザが予め決めた情報を基に判断するものであることで、ユーザの意図に応じた視聴許可判定ができる。
【００１６】
前記判断手段は、前記認証キーに基づいて判断するものであることで、認証キーをもたないユーザに不用意に許可を与えることがなくなる。
前記ネットワークは、無線通信により各種機器を接続するものであることで、部屋を繋ぐ有線の配線が不要となる。
【００１７】
前記ネットワークは、１３９４規格のデジタルインタフェース（例えば、１３９４規格の高速シリアルバス）で各種機器を接続するものであることで、制御線が１本で済み配線が容易になる。
【００１８】
【発明の実施の形態】
以下、添付図面を参照しながら本発明の好適なネットワーク機器制御システムの実施の形態について詳細に説明する。
【００１９】
図１は、本発明の実施の形態のネットワーク機器制御システムの全体構成を示すブロック図である。本実施の形態に係るネットワーク機器制御システムは、複数のＡＶ機器がネットワークに接続され、１つの非制御機器を複数のユーザが利用し、ＡＶデータ（映像・音声データ）を視聴するシステムであり、例えばディジタル放送の電波を受信可能なディジタル放送受信機能を備えたテレビジョン受信機に適用することができる。
【００２０】
図１において、ネットワーク機器制御システムは、各ルーム（ｒｏｏｍＡ〜Ｃ）に設置され、直接ユーザがインタラクションをし、ＡＶデータを視聴する表示装置１０ａ〜１０ｃと、表示装置１０ａ〜１０ｃと制御線３により接続され、表示装置１０ａ〜１０ｃとのデータのやり取りをする受信装置２０ａ〜２０ｃと、表示装置１０ａ〜１０ｃ及び受信装置２０ａ〜２０ｃに光信号である赤外線２を送出して遠隔操作するリモコン装置１（入力手段の一部）と、ルーム（ｒｏｏｍＤ）に設置され、受信装置２０ａ〜２０ｃとネットワーク４により接続されてデータのやり取りをする送信装置３０と、送信装置３０と制御線３により接続され、ＡＶデータを送出する非制御機器４０とから構成される。
【００２１】
上記表示装置１０ａ〜１０ｃ、受信装置２０ａ〜２０ｃ及びリモコン装置１は、全体としてネットワーク４上に接続された１又は複数のＡＶ機器を構成し、上記送信装置３０及び非制御機器４０は、全体として、該ＡＶ機器が制御する非制御機器を構成する。
【００２２】
また、上記表示装置１０ａ〜１０ｃは、同一構成でありこれらを総称して表示装置１０と呼ぶ。同様に、受信装置２０ａ〜２０ｃは、同一構成でありこれらを総称して表示装置１０と呼ぶ。
【００２３】
図１の例では、ｒｏｏｍＤに制御対象の非制御機器４０が存在し、ｒｏｏｍＤとは壁によって隔てられたｒｏｏｍＡ，ｒｏｏｍＢ及びｒｏｏｍＣが存在する。ｒｏｏｍＡ，ｒｏｏｍＢ及びｒｏｏｍＣもそれぞれ壁によって隔てられている。そしてｒｏｏｍＡ，ｒｏｏｍＢ及びｒｏｏｍＣのそれぞれの表示装置１０ａ〜１０ｃから非制御機器４０を制御することができる。ここで、非制御機器４０は家庭に１台しかない衛星放送用チューナのようなものであるとする。
【００２４】
ｒｏｏｍＡ，ｒｏｏｍＢ及びｒｏｏｍＣにはそれぞれ赤外線２を送出することができるリモコン装置１ａ〜１ｃがあり、それぞれ、表示装置１０ａ〜１０ｃと通信を行うことができる。表示装置１０ａ〜１０ｃは、それぞれリモコン装置１ａ〜１ｃから送出される赤外線２を受信して、それぞれ制御線３を通じて、それぞれ受信装置２０ａ〜２０ｃに制御データが伝送される。受信装置２０ａ〜２０ｃからネットワーク４を通じて、ｒｏｏｍＤにある送信装置３０に制御データが伝送され、制御線３を通じて非制御機器４０に伝送される。ＡＶデータは、非制御機器４０より制御線３を通じて送信装置３０に伝送され、送信装置３０からネットワーク４を通じて、ｒｏｏｍＡ，ｒｏｏｍＢ及びｒｏｏｍＣのいずれか、あるいはすべての受信機４０に送信される。受信装置２０で受信したＡＶデータは、表示装置１０により表示される。
【００２５】
ネットーク４は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格のデジタルインタフェースで各種機器を接続するネットークであり、上記受信装置２０及び送信装置３０をそれぞれ任意の台数、接続することができる。ネットワーク４は、１３９４規格に限らず、受信装置２０及び送信装置３０の間を結ぶ、イーサーネット（Ｅｔｈｅｒｎｅｔ）等によるデータ通信手段を総称する概念である。また、ネットワーク４のアクセス回線としては、ＦＴＴＨ（Ｆｉｂｅｒ  Ｔｏ  Ｔｈｅ  Ｈｏｍｅ）、ＨＦＣ（Ｈｙｂｒｉｄ  Ｆｉｂｅｒ  Ｃｏａｘ：光同軸ケーブル）、及びＡＤＳＬ（Ａｓｙｍｍｅｔｒｉｃ  Ｄｉｇｉｔａｌ  Ｓｕｂｓｃｒｉｂｅｒ  Ｌｉｎｅ）等の大容量回線が利用可能である。さらに、ネットワーク４は、無線で構成されるものであってもよい。
【００２６】
図２は、上記表示装置１０及び受信装置２０を詳細に説明するブロック図である。
図２において、表示装置１０は、リモコン受光部１１、コマンド解釈部１２、コマンド送受信部１３、表示装置１０の機器情報を記録する機器情報記録部１４（機器情報記録手段）、ユーザ情報を記憶するユーザ情報記録部１５（ユーザ情報記憶手段）、操作画面生成部１６、ＡＶデータ受信部１７、画面合成部１８、及び表示部１９を備えて構成され、また、受信装置２０は、表示装置１０に対して、該表示装置１０の情報を送受信するコマンド中継部２１（コマンド中継手段）、ネットワーク送受信部２３より送受信されたデータからＡＶデータを分離し、表示装置１０に送信するＡＶデータ中継部２２（ＡＶデータ中継手段）及びネットワーク４を介してデータを送受信するネットワーク送受信部２３（ネットワーク送受信手段）を備えて構成される。
【００２７】
上記リモコン装置１、リモコン受光部１１及びコマンド解釈部１２は、ユーザの情報を入力する入力手段を構成する。
まず、表示装置１０について説明する。
【００２８】
リモコン受光部１１は、リモコン装置１と赤外線を利用してデータを伝送するための規格、ＩｒＤＡ（Ｉｎｆｒａｒｅｄ  Ｄａｔａ  Ａｓｓｏｃｉａｔｉｏｎ），ＡＳＫ等に準拠して光通信を行うためのＩ／Ｏポートである。なお、赤外線に代え、電波による無線通信を行う態様であってもよい。
【００２９】
リモコン装置１から送信された赤外線２は、リモコン受光部１１で受信される。リモコン受光部１１で受信されたリモコン信号は、コマンド解釈部１２で、対応するコマンドに変換される。操作画面生成部１６は、ネットワーク４に接続されている機器をメニュー形式で表示したり、ユーザの情報を入力するために文字入力や項目選択ができるＧＵＩ（Ｇｒａｐｈｉｃａｌ  Ｕｓｅｒ  Ｉｎｔｅｒｆａｃｅ）を生成する。画面合成部１８は、ＡＶデータと前記ＧＵＩを画面上で合成する。表示部１９はその画面を表示する。ユーザは表示部１９に表示されたＧＵＩを見ながら、リモコン装置１を操作し、所望の入力を行うことができる。
【００３０】
機器情報記録部１４には、機器を識別するためのＩＤ、機器名などが記録されている。ユーザ情報記録部１５には、ユーザが表示部１９に表示されているＧＵＩ画面を見ながらリモコン装置１を操作して入力したユーザに関する情報が記録されている。例えば、ユーザ名、ＡＶデータ許可レベル、機器操作レベルなどである。ＡＶデータ許可レベル及び機器操作レベルの詳細については後述する。
【００３１】
コマンド送受信部１３は、コマンド解釈部１２によって生成されたコマンドや、機器情報記録部１４に記録されている機器情報や、ユーザ情報記録部１５に記録されているユーザ上布を受信装置２０へ送信する。ここで送信されるコマンドには、ＡＶデータの送信要求命令などがある。
ＡＶデータ受信部１７は、受信装置２０よりＡＶデータを受信する。
次に、受信装置２０について説明する。
【００３２】
コマンド中継部２１では、表示装置１０のコマンド送受信装置１３と制御線３ａを介して、コマンドの送受信を行う。受信したコマンドは、ネットワーク送受信部２３に送られる。ネットワーク送受信部２３は、ネットワーク４を介して、送信装置３０へコマンドを送信するとともに、送信装置３０よりＡＶデータを受信し、ＡＶデータ中継部２２にＡＶデータを送る。ＡＶデータ中継部２２は、表示装置１０へＡＶデータを送る。
【００３３】
図３は、上記送信装置３０及び非制御機器４０を詳細に説明するブロック図である。
図３において、送信装置３０は、ネットワーク４よりデータを送受信するネットワーク送受信部３１（ネットワーク送受信手段）、ＡＶデータの受信を行うＡＶデータ中継部３２（ＡＶデータ中継）、ＡＶデータの送信を許可するか否かを判断する判断部３３（判断手段）、機器情報を登録する機器情報登録部３４（機器情報登録手段）、及びユーザ情報を登録するユーザ情報登録部３５（ユーザ情報登録手段）を備えて構成され、また、非制御機器４０は、送信装置３０から制御線３ｃを介してコマンドを受信するデータ送受信部４１（データ送受信手段）、ＡＶデータを送信装置３０に送信するＡＶデータ送信部４２（ＡＶデータ送信手段）、非制御機器の情報を記録する機器情報記録部４３（機器情報記録手段）、送信装置３０から受信したデータを解析しコマンドに応じた制御を行うコマンド解析部４４（コマンド解析手段）、ＡＶデータをデコードして再生する再生部４５（再生手段）、及びＡＶデータを記録するＡＶデータ記録部４６（ＡＶデータ記録手段）を備えて構成される。
まず、送信装置３０について説明をする。
【００３４】
ネットワーク送受信部３１では、ネットワーク４を介して、受信装置２０へＡＶデータを送信するとともに、受信装置２０からのコマンドを受信する。受信したコマンドがＡＶデータ送信要求や機器操作要求の場合、判断部３３に送られる。判断部３３では、機器情報登録部３４に登録されている機器情報及びユーザ情報登録部３５に登録されているユーザ情報を基に、非制御装置にコマンドを送信するかどうかの判断を行う。機器情報登録部３４には、制御線３ｃを介してつながっている非制御機器４０の機器情報が登録されている。登録の手順の詳細については後述する。
【００３５】
ユーザ情報登録部３５には、現在、非制御機器４０を使用しているユーザの情報が登録されている。ユーザの情報として、ユーザを識別するためのユーザ名あるいはユーザが使用している表示装置１０の機器情報、後述するユーザ毎に設定されているＡＶデータ許可レベルや操作許可レベルなどが登録されている。データ中継部３２は、制御線３ｃを介して非制御機器４０へコマンドを送信する。ＡＶデータ中継部３２は、非制御機器４０から送信されるＡＶデータを受信し、ネットワーク送受信部３１に送る。
次に、非制御機器４０について説明する。
【００３６】
データ送受信部４１では、送信装置３０から制御線３ｃを介して、コマンドを受信する。コマンド解析部４４は、受信したコマンドに応じて機器を直接操作する。ＡＶデータ送信要求コマンドを受信した場合は、再生部４５に再生の指令を行う。再生部４５は、ＡＶデータ記録部４６に記録されているＡＶデータを再生し、ＡＶデータ送信部４２に送る。ＡＶデータ送信部４２は、ＡＶデータを送信装置３０へ制御線３ｄを介して送る。機器情報記録部４３には、非制御機器４０の機器情報が記録されている。ここに記録されている機器情報には、機器を識別するＩＤ、機器名、ＡＶデータを暗号化するときの認証キーなどが含まれる。
以下、上述のように構成されたネットワーク機器制御システムの動作を説明する。
【００３７】
図４は、各ユーザ毎に設定されたＡＶデータ許可レベル及び機器操作レベルの例を示す図であり、図４（ａ）はユーザＡのＡＶデータ許可レベル及び操作許可レベルの設定値の例を、図４（ｂ）はユーザＢのＡＶデータ許可レベル及び操作許可レベルの設定値の例を、図４（ｃ）はユーザＣのＡＶデータ許可レベル及び操作許可レベルの設定値の例をそれぞれ示す。
【００３８】
図４中の黒丸（●印参照）は設定されていることを示しており、白丸（○印参照）は設定されていないことを示している。ユーザＡのＡＶデータ許可レベル４０１は、「ネゴシエーション」４０３ａに設定されている。ユーザＡの機器許可レベルは、「拒絶」４１２ａに設定されている。同様に、ユーザＢのＡＶデータ許可レベル４０１は、「ネゴシエーション」４０４ｂに設定されている。ユーザＢの機器許可レベルは、「許可」４１４ｂに設定されている。ユーザＣのＡＶデータ許可レベルは、「拒絶」４０２ｃに設定されている。ユーザＣの機器許可レベルは、「拒絶」４１２ｃに設定されている。設定値を変更する場合は、リモコン装置１を操作して、変更することができる。例えば、ユーザＡの機器許可レベルを「拒絶」４１２ａから「ネゴシエーション」４１３ａに変更する場合は、リモコン装置１を操作して、フォーカスを「ネゴシエーション」４１３ａのところに持ってきて、決定キーなどを押すことで、設定値が「ネゴシエーション」４１３ａに変更することができる。このとき、表示は、「拒絶」４１２ａが白丸、「ネゴシエーション」４１３ａが黒丸になる。それぞれの設定値は、図２のユーザ情報記録部１５に記録される。
【００３９】
図５は、登録されたユーザ情報の例を示す図であり、表示装置１０のユーザ情報記録部１５に記録されているユーザ名及び機器情報記録部１４に記録されている機器名の例を示す。この例では、ユーザ名が「ひろし」、機器名が「ＡＡＡＡＡ（メーカ名）    ＢＢＢＢＢ−ＨＳ１００（商品名）」である。ユーザ名は、リモコン装置１を操作し、入力したものである。機器名は、予め表示装置１０の機器情報記録部１４に記録されていたものである。また、認証キーが「ＩＦＪＳＫＫＫＡＫＤＪＦ」である。この例では、ユーザがリモコン装置１を操作して入力した値である。
【００４０】
図６は、非制御機器４０の機器情報記録部４３に記録されている機器名の例を示す図である。この例では、機器名が「ＡＡＡＡＡ    Ｄ−ＨＳ１００」である。
図７は、非制御機器４０が送信装置３０に機器情報を登録する際の手順を示す制御シーケンス図である。図中、Ｓは信号のやり取りを示すステップである。
【００４１】
まず、非制御機器４０と送信装置３０とが制御線３で接続されると、それを検知し（Ｓ１０１）、非制御機器４０から機器情報を送信装置３０に送る（Ｓ１０２）。送信装置３０では、この機器情報を、機器情報登録部３４に登録し（Ｓ１０３）、登録されたことを通知する信号を非制御機器４０へ送る（Ｓ１０４）。
【００４２】
図８は、表示装置１０がネットワーク４及び制御線３を介して接続されている非制御機器４０の情報を得る手順を示す制御シーケンス図である。
まず、ユーザＡが表示装置１０ａを操作し（Ｓ２０１）、機器接続リスト要求コマンドを受信機に送信する（Ｓ２０２）。受信装置２０ａは、そのコマンドを送信装置３０に伝送する。送信装置３０は、そのコマンドを解釈し、機器情報登録部３４に登録されている機器全てのリストを取得する（Ｓ２０３）。その接続機器リストを受信装置２０へ送信する（Ｓ２０４）。その情報を受け取った受信装置２０ａは、そのまま、表示装置１０ａにその情報を送る。表示装置１０ａはその情報を基に、ＧＵＩ画面に機器リストを表示する。
【００４３】
ユーザＡは、ＡＶコンテンツを視聴したい機器をそのリストから選択し（Ｓ２０５）、操作リスト要求コマンドを受信装置２０ａへ送信する（Ｓ２０６）。受信装置２０ａは、そのコマンドを送信装置３０に送信し、送信装置３０は、そのコマンドを非制御機器４０へ送信する。非制御機器４０では、その操作リスト要求コマンドを受信すると、機器情報記録部４３に記録されている操作コマンドリストを取得する（Ｓ２０７）。非制御機器４０は取得した操作リストを送信装置３０へ送信する。送信装置３０は、その操作リストを受信装置２０ａへ送り、受信装置はその操作リストを表示装置１０ａへ送る。表示装置１０ａは、その操作リストをコマンド解釈部１２で解釈し、操作画面生成部１６で表示部１９に表示する操作パネルを生成する。ユーザＡは、この操作パネルを操作することで、操作コマンドを非制御機器４０へ送信し、非制御機器４０を操作することができる。ＧＵＩ画像により表示される上記操作パネルの表示例については図１４〜図１７により後述する。
【００４４】
図９は、ＡＶデータの送信要求をする際の手順を示す制御シーケンス図である。
まず、ユーザＡは表示装置１０ａを操作し、ＡＶデータ送信の要求操作を行う（Ｓ３０１）。表示装置１０ａから受信装置２０ａへＡＶデータ送信要求コマンドを送信する（Ｓ３０２）。受信装置２０ａは、そのコマンドを送信装置３０へ送信する。送信装置３０では、そのコマンドを受信すると、判別部３３において、機器の使用状態を判別する（Ｓ３０３）。この例では、非制御機器４０を使用しているユーザがいない場合を示しており、ユーザ情報登録部３５には、ユーザ情報が登録されていない。そこで、新規にユーザ情報がユーザ情報登録部３５に登録される（Ｓ３０４）。なお、このとき登録されるユーザ情報は、ＡＶデータ送信要求コマンドに含まれているとする。ユーザ情報が登録されると、ＡＶデータ送信コマンドが非制御機器４０に送信される（Ｓ３０５）。ＡＶデータ送信コマンドを受信した非制御機器４０は、ＡＶデータを再生するようになる（Ｓ３０６）。一方で、確認通知信号が送信装置３０、受信装置２０ａ、表示装置１０ａと順に送信されていき（Ｓ３０７）、表示装置１０ａでＡＶデータの視聴ができるようになる。
【００４５】
図１０は、ＡＶデータの送信要求をする際の手順を示す制御シーケンス図であり、ユーザの設定でＡＶデータの視聴が拒否される場合の例である。
まず、ユーザＡは表示装置１０ａを操作し、ＡＶデータ送信の要求操作を行う（Ｓ４０１）。表示装置１０ａから受信装置２０ａへＡＶデータ送信要求コマンドを送信する（Ｓ４０２）。受信装置２０ａは、そのコマンドを送信装置３０へ送信する。送信装置３０では、そのコマンドを受信すると、判別部３３において、機器の使用状態を判別する（Ｓ４０３）。この例では、非制御機器４０を使用しているユーザがおり、しかもユーザ情報登録部３５に設定されているユーザ情報のＡＶデータ許可レベルが「拒絶」に設定されている場合を示している。この場合、判別部３３において、機器使用状態判別がなされ、結果は「拒絶」となる。これにより、非制御機器４０の情報及び非制御機器４０を使用中のユーザ情報を含む拒絶通知信号が送信装置３０から、拒絶通知信号が受信装置２０ａ、表示装置１０ａと順に送信されていき（Ｓ４０４）、表示装置１０ａで拒絶処理がなされる。
【００４６】
図１１は、ＡＶデータの送信要求をする際の手順を示す制御シーケンス図であり、ユーザの設定でＡＶデータの視聴が許可される場合の例である。
まず、ユーザＡは表示装置１０ａを操作し、ＡＶデータ送信の要求操作を行う（Ｓ５０１）。表示装置１０ａから受信装置２０へＡＶデータ送信要求コマンドを送信する（Ｓ５０２）。受信装置２０ａは、そのコマンドを送信装置３０へ送信する。送信装置３０では、そのコマンドを受信すると、判別部３３において、機器の使用状態を判別する（Ｓ５０３）。この例では、非制御機器４０を使用しているユーザがおり、しかもユーザ情報登録部３５に設定されているユーザ情報のＡＶデータ許可レベルが「許可」に設定されている場合を示している。この場合、判別部３３において、機器使用状態判別がなされ、結果は「許可」となる。これにより、非制御機器４０の情報及び非制御機器４０を使用中のユーザ情報を含む許可通知信号（Ｓ５０４）が送信装置３０から、拒絶通知信号が受信装置２０ａ、表示装置１０ａと順に送信されていき、表示装置１０ａで許可処理がなされる。
【００４７】
図１２は、ＡＶデータの送信要求をする際の手順を示す制御シーケンス図であり、他のユーザが使用中の非制御機器をネゴシエーションした結果、ＡＶデータの視聴が拒否される場合の例である。
【００４８】
まず、ユーザＡは表示装置１０ａを操作し、ＡＶデータ送信の要求操作を行う（Ｓ６０１）。表示装置１０ａから受信装置２０ａへＡＶデータ送信要求コマンドを送信する（Ｓ６０２）。受信装置２０ａは、そのコマンドを送信装置３０へ送信する。送信装置３０では、そのコマンドを受信すると、判別部３３において、機器の使用状態を判別する（Ｓ６０３）。この例では、非制御機器４０を使用しているユーザがおり、しかもユーザ情報登録部３５に設定されているユーザ情報のＡＶデータ許可レベルが「ネゴシエーション」に設定されている場合を示している。
【００４９】
この場合、判別部３３において、機器使用状態判別がなされ、結果は「ネゴシエーション」となり、現在非制御機器４０を使用しているユーザの情報を送信装置３０から受信装置２０へ送信する（Ｓ６０４）。このユーザ情報には、そのユーザが使用している表示装置の機器情報も含まれる。ユーザ情報は、受信装置２０ａから表示装置１０ａへ送信される。表示装置１０ａでは、受信したユーザ情報より、そのユーザが視聴している表示装置１０ｂへ使用許可要求コマンドを送信する（Ｓ６０５）。表示装置１０ｂでは、ユーザＢのインタラクションにより、許可判定がされる（Ｓ６０６）。この例では、ユーザＢが「拒絶」をした場合で、表示装置１０ｂは、受信装置２０ｂへ拒絶通知信号を送信する（Ｓ６０７）。これにより、受信装置２０ｂから、拒絶通知信号が受信装置２０ａ、表示装置１０ａと順に送信されていき、表示装置１０ａで拒絶処理がなされる。
【００５０】
図１３は、ＡＶデータの送信要求をする際の手順を示す制御シーケンス図であり、他のユーザが使用中の非制御機器をネゴシエーションした結果、ＡＶデータの視聴が許可される場合の例である。
【００５１】
まず、ユーザＡは表示装置１０ａを操作し、ＡＶデータ送信の要求操作を行う（Ｓ７０１）。表示装置１０ａから受信装置２０ａへＡＶデータ送信要求コマンドを送信する（Ｓ７０２）。受信装置２０ａは、そのコマンドを送信装置３０へ送信する。送信装置３０では、そのコマンドを受信すると、判別部３３において、機器の使用状態を判別する（Ｓ７０３）。この例では、非制御機器４０を使用しているユーザがおり、しかもユーザ情報登録部３５に設定されているユーザ情報のＡＶデータ許可レベルが「ネゴシエーション」に設定されている場合を示している。
【００５２】
この場合、判別部３３において、機器使用状態判別がなされ、結果は「ネゴシエーション」となり、現在非制御機器４０を使用しているユーザの情報を送信装置３０から受信装置２０へ送信する（Ｓ７０４）。このユーザ情報には、そのユーザが使用している表示装置の機器情報も含まれる。ユーザ情報は、受信装置２０ａから表示装置１０ａへ送信される。表示装置１０ａでは、受信したユーザ情報より、そのユーザが視聴している表示装置１０ｂへ使用許可要求コマンドを送信する（Ｓ７０５）。表示装置１０ｂでは、ユーザＢのインタラクションにより、許可判定がされる（Ｓ７０６）。この例では、ユーザＢが「許可」をした場合で、表示装置１０ｂは、受信装置２０ｂへ認証キーを送信する（Ｓ７０７）。
【００５３】
これにより、受信装置２０ｂから、認証キーが受信装置２０ａ、表示装置１０ａと順に送信されていく。認証キーを受信した表示装置１０ａは、認証キーを含んだＡＶデータ送信要求コマンドを受信装置２０ａへ送信する（Ｓ７０８）。受信装置２０ａは送信装置３０へＡＶデータ送信要求コマンドを送信する。ＡＶデータ送信要求コマンドを受信した送信装置３０は、コマンドに付随する認証キーが所望の認証キーかどうか判定する（Ｓ７０９）。認証キーの判定が成功すれば、送信装置３０から非制御機器４０へＡＶデータ送信コマンドが送信される（Ｓ７０１）。ＡＶデータ送信コマンドを受信した非制御機器４０は、ＡＶデータを再生する（Ｓ７１０）。一方で、確認通知信号が送信装置３０、受信装置２０ａ、表示装置１０ａと順に送信されていき（Ｓ７１２）、表示装置１０ａでＡＶデータの視聴ができるようになる。
ここで、認証キーは、表示装置１０でユーザが適当な値を入力することもできるし、機器情報に関連した値を自動で設定することもできる。
【００５４】
図１４は、ＡＶデータ送信が拒絶された場合の表示画面の例を示す図であり、前記図１０において拒絶通知信号Ｓ４０４を受け取った表示装置１０ａが表示するＧＵＩ画面の例である。
【００５５】
図１４において、メッセージボード５０１には、ユーザが使用している機器名５０３及びユーザ名５０４の情報が表示される。拒絶通知信号を受け取ったユーザは、その非制御機器４０を使用することができないので、「了解」ボタン５０２だけが表示されている。カーソルのフォーカスは「了解」ボタンにあり、ユーザはリモコン装置１の決定キーを押すことで、このメッセージボード５０１は閉じる。この場合、その他のアクションは何も起こらない。
【００５６】
図１５は、ＡＶデータ送信のネゴシエーションを促す表示画面の例を示す図であり、前記図１２及び図１３において、非制御機器４０を使用中のユーザがＡＶデータ許可レベルを「ネゴシエーション」に設定していた場合で、例えば、ユーザ情報Ｓ６０４を受け取った表示装置１０が表示するＧＵＩ画面の例である。
【００５７】
この場合、メッセージボード６０１が表示される。また「許可」ボタン６０２と「キャンセル」ボタン６０３が表示される。リモコン装置１を操作し、カーソルのフォーカスを「許可」ボタン６０２に当て、リモコン装置の「決定」キーを押すと、使用許可要求コマンドＳ６０５（図１２参照）が、非制御機器４０を使用中のユーザの表示装置１０ｂに送信され、表示装置１０ｂでは図１６で示されるＧＵＩ画面が表示される。
【００５８】
図１６は、ＡＶデータ送信の使用許可を確認する表示画面の例を示す図であり、使用許可要求コマンドを受信した表示装置１０ｂが表示するＧＵＩ画面である。
【００５９】
この場合、メッセージボード７０１が表示される。これには使用許可を送信したユーザ名及び使用許可対象の非制御機器４０の機器名が表示される。また「許可」ボタン７０２と「拒絶」ボタン７０３が表示される。
【００６０】
使用を許可する場合は「許可」ボタン７０２を、使用を拒絶する場合は「拒絶」ボタン７０３を選択し、リモコン装置１で「決定」キーを押す。前記図１２は「拒絶」が選択された場合であり、「拒絶」が選択されると、使用許可要求を送信した表示装置に拒絶通知信号（Ｓ６０７）が送信される。また、前記図１３は「許可」が選択された場合を示しており、「許可」が選択されると、認証キー通知信号Ｓ７０７が表示装置１０ａへ送信され、表示装置１０ａでは、使用許可がされた旨の表示がされる。
【００６１】
図１７は、ＡＶデータ送信の許可を促す表示画面の例を示す図であり、前記図１１において、非制御機器４０を使用中のユーザがＡＶデータ許可レベルを「許可」に設定していた場合で、許可通知信号（Ｓ５０４）を受け取った表示装置１０ａが表示するＧＵＩ画面の例である。
【００６２】
この場合、メッセージボート８０１が表示される。メッセージには、機器名、使用しているユーザ名が表示されると共に、「視聴」ボタン８０２と「キャンセル」ボタン８０３が表示される。リモコン装置１を操作し、カーソルのフォーカスを「視聴」ボタン８０２に当て、リモコン装置の「決定」キーを押すと、ＡＶデータ送信要求コマンドが非制御装置に送られ、ＡＶデータの視聴が可能になる。「キャンセル」ボタン８０３を選択すると、何も処理もされず、メッセージボードが閉じる。
【００６３】
以上のように、本実施の形態のネットワーク機器制御システムは、ＡＶデータを受信する側に設置され、直接ユーザがインタラクションをし、ＡＶデータを視聴する表示装置１０ａ〜１０ｃと、表示装置１０ａ〜１０ｃと制御線３により接続され、表示装置１０ａ〜１０ｃとのデータのやり取りをする受信装置２０ａ〜２０ｃと、表示装置１０ａ〜１０ｃ及び受信装置２０ａ〜２０ｃに光信号である赤外線２を送出して遠隔操作するリモコン装置１と、ＡＶデータを送信する側に設置され、受信装置２０ａ〜２０ｃとネットワーク４により接続されてデータのやり取りをする送信装置３０と、送信装置３０と制御線３により接続され、ＡＶデータを送出する非制御機器４０とを備えて構成したので、各ルーム（ｒｏｏｍＡ〜Ｄ）に送信装置３０と受信装置２０が一つあれば、それに制御線３で複数の非制御機器４０や表示装置１０を接続でき、ネットワークの構成を単純にすることができる。
【００６４】
これにより、あるユーザが使用している場合、別のユーザには特定の操作を禁止することができ、別のユーザが視聴しているＡＶ情報を視聴することができる。
また、すでに誰かが使用している機器でも両者間のネゴシエーションにより別のユーザも利用することができる。
【００６５】
特に、本実施の形態では、表示装置１０は、リモコン装置１のコマンドを受光するリモコン受光部１１、コマンド解釈部１２、コマンド送受信部１３、表示装置１０の機器情報を記録する機器情報記録部１４、及びユーザ情報を記憶するユーザ情報記録部１５を備えて構成したので、ユーザの好みあった情報を入力することができ、また、表示機器を識別することも容易になる。
【００６６】
また、受信装置２０は、表示装置１０に対して、制御線３を介して該表示装置１０の情報を送受信するコマンド中継部２１、ネットワーク送受信部２３より送受信されたデータからＡＶデータを分離し、表示装置１０に送信するＡＶデータ中継部２２及びネットワーク４を介してデータを送受信するネットワーク送受信部２３を備えて構成したので、ネットワークとのインターフェースを簡略化することができる。
【００６７】
また、送信装置３０は、ネットワーク４よりデータを送受信するネットワーク送受信部３１、ＡＶデータの受信を行うＡＶデータ中継部３２、ＡＶデータの送信を許可するか否かを判断する判断部３３、機器情報を登録する機器情報登録部３４、及びユーザ情報を登録するユーザ情報登録部３５を備えて構成したので、登録されているユーザの情報を基に、ＡＶデータの送出を許可したり、拒絶したりする処理を一元管理でき、非制御機器４０に余分なトラフィックを増やさなくて済む効果を得ることができる。
【００６８】
また、非制御機器４０は、送信装置３０から制御線３ｃを介してコマンドを受信するデータ送受信部４１、ＡＶデータを送信装置３０に送信するＡＶデータ送信部４２、非制御機器の情報を記録する機器情報記録部４３、送信装置３０から受信したデータを解析しコマンドに応じた制御を行うコマンド解析部４４、ＡＶデータをデコードして再生する再生部４５、及びＡＶデータを記録するＡＶデータ記録部４６を備えて構成したので、機器の特定とＡＶデータの送信を容易に行うことができる。
【００６９】
なお、上記実施の形態に係るネットワーク機器制御システムを、上述したようなデジタルテレビジョン等の表示装置に適用することもできるが、適用する機器は何でもよい。また、ネットワーク機器制御システムという名称を用いたが、これは説明の便宜上であり、例えば機器コントロールシステム、遠隔制御システム等であってもよい。
また、複数の（３つの）表示装置とＡＶ機器について述べてきたが、これ以上、又はこれ以下の装置がネットワーク４に接続されている場合でも構わない。
【００７０】
また、ネットワーク機器制御システムによって制御される機器は、どのようなものでもよく、ＡＶ機器やＡＶ関連機器、パソコン等の情報処理装置など何でもよい。また、記録装置の種類や記録方法等は限定されず、全ての装置に適用可能である。例えば、ＣＳチューナや、記録装置として、ＶＴＲ（Ｖｉｄｅｏ  Ｔａｐｅ  Ｒｅｃｏｒｄｅｒ）のほか、ＨＤＤやＤＶＤ（Ｄｉｇｉｔａｌ  Ｖｅｒｓａｔｉｌｅ  Ｄｉｓｋ）に記録するものでもよい。
さらに、上記ネットワーク機器制御システムを構成する各回路部、例えば通信部、記憶部等の種類、数及び接続方法などは前述した実施の形態に限られない。
【００７１】
以上説明したネットワーク機器制御システムは、このネットワーク機器制御システムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００７２】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００７３】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【００７４】
【発明の効果】
以上、詳述したように、本発明によれば、ある使用者が使用している場合、別の使用者には特定の操作を禁止することができ、別の使用者が視聴しているＡＶ情報を視聴することができる。
また、すでに誰かが使用している機器でも両者間のネゴシエーションにより別の使用者も利用することができる。
【図面の簡単な説明】
【図１】本発明の実施の形態のネットワーク機器制御システムの全体構成を示すブロック図である。
【図２】本実施の形態のネットワーク機器制御システムの表示装置及び受信装置を詳細に説明するブロック図である。
【図３】本実施の形態のネットワーク機器制御システムの送信装置及び非制御装置を詳細に説明するブロック図である。
【図４】本実施の形態のネットワーク機器制御システムの各ユーザ毎に設定されたＡＶデータ許可レベル及び機器操作レベルの例を示す図である。
【図５】本実施の形態のネットワーク機器制御システムの登録されたユーザ情報の例を示す図である。
【図６】本実施の形態のネットワーク機器制御システムの非制御機器の機器情報記録部に記録されている機器名の例を示す図である。
【図７】本実施の形態のネットワーク機器制御システムの非制御装置が送信装置に機器情報を登録する際の手順を示す制御シーケンス図である。
【図８】本実施の形態のネットワーク機器制御システムの表示装置がネットワーク及び制御線を介して接続されている非制御機器の情報を得る手順を示す制御シーケンス図である。
【図９】本実施の形態のネットワーク機器制御システムのＡＶデータの送信要求をする際の手順を示す制御シーケンス図である。
【図１０】本実施の形態のネットワーク機器制御システムのＡＶデータの送信拒絶をする際の手順を示す制御シーケンス図である。
【図１１】本実施の形態のネットワーク機器制御システムのＡＶデータの送信許可をする際の手順を示す制御シーケンス図である。
【図１２】本実施の形態のネットワーク機器制御システムのＡＶデータの送信ネゴシエーション（拒絶）をする際の手順を示す制御シーケンス図である。
【図１３】本実施の形態のネットワーク機器制御システムのＡＶデータの送信ネゴシエーション（許可）をする際の手順を示す制御シーケンス図である。
【図１４】本実施の形態のネットワーク機器制御システムのＡＶデータ送信が拒絶された場合の表示画面の例を示す図である。
【図１５】本実施の形態のネットワーク機器制御システムのＡＶデータ送信のネゴシエーションを促す表示画面の例を示す図である。
【図１６】本実施の形態のネットワーク機器制御システムのＡＶデータ送信の使用許可を確認する表示画面の例を示す図である。
【図１７】本実施の形態のネットワーク機器制御システムのＡＶデータ送信の許可を促す表示画面の例を示す図である。
【符号の説明】
１  リモコン装置（入力手段の一部）
３，３ａ〜３ｄ  制御線
４  ネットワーク
１０，１０ａ〜１０ｃ  表示装置
１１  リモコン受光部
１２  コマンド解釈部
１３  コマンド送受信部
１４  機器情報記録部（機器情報記録手段）
１５  ユーザ情報記録部（ユーザ情報記憶手段）
１６  操作画面生成部
１７  ＡＶデータ受信部
１８  画面合成部
１９  表示部
２０，２０ａ〜２０ｃ  受信装置
２１  コマンド中継部（コマンド中継手段）
２２  ＡＶデータ中継部（ＡＶデータ中継手段）
２３  ネットワーク送受信部（ネットワーク送受信手段）
２０，２０ａ〜２０ｃ  受信装置
３０  送信装置
３１  ネットワーク送受信部（ネットワーク送受信手段）
３２  ＡＶデータ中継部（ＡＶデータ中継）
３３  判断部（判断手段）
３４  機器情報登録部（機器情報登録手段）
３５  ユーザ情報登録部（ユーザ情報登録手段）
２０，２０ａ〜２０ｃ  受信装置
４０  非制御装置
４１  データ送受信部（データ送受信手段）
４２  ＡＶデータ送信部（ＡＶデータ送信手段）
４３  機器情報記録部（機器情報記録手段）
４４  コマンド解析部（コマンド解析手段）
４５  再生部（再生手段）
４６  ＡＶデータ記録部（ＡＶデータ記録手段）
【図１】
2004242032.tif 000003
【図２】
2004242032.tif 000004
【図３】
2004242032.tif 000005
【図４】
2004242032.tif 000006
【図５】
2004242032.tif 000007
【図６】
2004242032.tif 000008
【図７】
2004242032.tif 000009
【図８】
2004242032.tif 000010
【図９】
2004242032.tif 000011
【図１０】
2004242032.tif 000012
【図１１】
2004242032.tif 000013
【図１２】
2004242032.tif 000014
【図１３】
2004242032.tif 000015
【図１４】
2004242032.tif 000016
【図１５】
2004242032.tif 000017
【図１６】
2004242032.tif 000018
【図１７】
2004242032.tif 000019